(57)【要約】【課題】居室の温度調節のために壁や天井などの内装面に敷設して温水や冷水を循環させる放熱パネルであって、せりだし高さを増やすことなく、内装面に対して簡単に設置でき、着脱が容易で且つ躯体側の損傷も低減できる放熱パネルを提供する。【解決手段】放熱パネルは、内部に水循環路が設けられたパネル本体１、当該パネル本体の四辺部に付設された縦横の枠部材２、これら枠部材を連結するコーナー部材３から成る。コーナー部材３は、枠部材２の端部開口に挿入可能な接続バー４３が側面に突設されたコーナー部材本体４、当該コーナー部材本体の背面に配置されるベース片５を含む。コーナー部材３は、ねじ穴５６を利用して内装面にねじ７６で固定されたベース片５に対し、ねじ装着部５４に対するねじ７７の着脱により、コーナー部材本体４を着脱可能に構成される。【選択図】図１
2011043299.tif 000002
【特許請求の範囲】
【請求項１】
居室の内装面に敷設され且つ温水または冷水の循環によって居室の温度調節を行う放熱パネルであって、平面形状を四角形に形成され且つ内部に水循環路が設けられたパネル本体と、両端が開口する中空構造を備え且つパネル本体の四辺部に付設された縦横の枠部材と、これら枠部材の厚さと略同等の厚さに形成されてパネル本体の角部に配置され且つ縦横の枠部材を連結するコーナー部材とから成り、コーナー部材は、枠部材の端部開口に挿入可能な２つの接続バーが互いに直交する方向に側面に突設されたコーナー部材本体と、内装面固定用のねじ穴およびコーナー部材本体結合用のねじ装着部を有し且つコーナー部材本体の背面に嵌合するベース片とを含み、コーナー部材本体は、ベース片のねじ穴に使用されるねじが通過する大きさの開口、および、ベース片を嵌合させた状態において当該ベース片のねじ装着部に重畳するねじ穴を表面側に備えており、コーナー部材は、内装面固定用のねじ穴を利用して内装面に固定されたベース片に対し、コーナー部材本体結合用のねじ装着部に対するねじの着脱により、コーナー部材本体を着脱可能に構成されていることを特徴とする放熱パネル。
【請求項２】
縦横の枠部材は、中空構造の略角パイプ状の剛体部と、当該剛体部の表面および背面に沿ってパネル本体側に各張出された押え縁を備え、パネル本体は、その外周部を枠部材の２つの押え縁によって挟持されている請求項１に記載の放熱パネル。
【請求項３】
パネル本体は、断熱材としての板状基材と、当該板状基材の表側の溝に配置された水循環路としての通水管と、板状基材の表面に貼着された放熱シートと、当該放熱シートの表側に配置された意匠パネルとから成り、各枠部材には、剛体部から張出された２つの押え縁の間に更に意匠パネルを裏面から支持する支え縁が張出され、意匠パネルは、その周縁を表面側の押え縁と支え縁との隙間に収められている請求項２に記載の放熱パネル。
【発明の詳細な説明】
【技術分野】
【０００１】
本発明は、放熱パネルに関するものであり、詳しくは、居室の温度調節のために壁や天井に敷設して温水や冷水を循環させる放熱パネルに関するものである。
【背景技術】
【０００２】
居室の暖房手段としては、フローリングの下地として温水マットを敷設し、給湯装置から温水マット内の水循環路に温水を供給することにより、フローリングからの輻射熱により室内を暖房する床暖房が普及している。また、上記の温水マットと同様の構造のパネルを居室の壁に設置し、パネルからの輻射熱によって暖房を行う「壁暖房パネル」も検討されている。そして、上記の様なパネルは、暖房に限らず、冷水を循環させることにより、冷房用のパネルとしても利用できる。すなわち、温熱や冷熱を放出する放熱パネルとして利用できる。特に、冷房用の放熱パネルとして使用する場合には天井への設置も有効である。
【先行技術文献】
【特許文献】
【０００３】
【特許文献１】特開２００６−２３４３４１号公報
【発明の概要】
【発明が解決しようとする課題】
【０００４】
ところで、上記の放熱パネルは、意匠的観点から額縁状の枠に収容して設置されるが、パネル自体の重量が比較的大きいため、枠の背面やパネル背面に支持金物を取り付け、これを利用して壁面、天井などの内装面に固定される。そのため、パネル自体の厚さ以上に壁面からのせりだし高さが高くなる。換言すれば、支持金物の高さ分だけ設置厚さが厚くなる。その結果、居室空間が狭くなると言う問題がある。また、支持金物を介して壁面にねじ固定するため、メンテナンスの際などで取り外しが大掛かりとなり、しかも、ねじの着脱によってねじ穴が大きくなり、内装材などの躯体側の部材を損傷すると言う問題がある。
【０００５】
本発明は、上記の様な実情に鑑みてなされたものであり、その目的は、居室の温度調節のために壁、天井などの内装面に敷設される放熱パネルであって、せりだし高さを増やすことなく、内装面に対して簡単に設置でき、しかも、着脱が容易で且つ躯体側の損傷も低減できる放熱パネルを提供することにある。
【課題を解決するための手段】
【０００６】
上記の課題を解決するため、本発明においては、内部に水循環路が設けられたパネル本体の四辺部に縦横の枠部材を付設し且つこれらをコーナー部材で連結して額縁状の枠を構成すると共に、コーナー部材として、縦横の枠部材同士を接続するコーナー部材本体および内装面に固定されるベース片を備え且つコーナー部材本体とベース片とをねじで締結する特定構造の部材を使用することにより、内装面にコーナー部材のベース片を残したまま、放熱パネルの略全体を着脱できる様にした。
【０００７】
すなわち、本発明の要旨は、居室の内装面に敷設され且つ温水または冷水の循環によって居室の温度調節を行う放熱パネルであって、平面形状を四角形に形成され且つ内部に水循環路が設けられたパネル本体と、両端が開口する中空構造を備え且つパネル本体の四辺部に付設された縦横の枠部材と、これら枠部材の厚さと略同等の厚さに形成されてパネル本体の角部に配置され且つ縦横の枠部材を連結するコーナー部材とから成り、コーナー部材は、枠部材の端部開口に挿入可能な２つの接続バーが互いに直交する方向に側面に突設されたコーナー部材本体と、内装面固定用のねじ穴およびコーナー部材本体結合用のねじ装着部を有し且つコーナー部材本体の背面に嵌合するベース片とを含み、コーナー部材本体は、ベース片のねじ穴に使用されるねじが通過する大きさの開口、および、ベース片を嵌合させた状態において当該ベース片のねじ装着部に重畳するねじ穴を表面側に備えており、コーナー部材は、内装面固定用のねじ穴を利用して内装面に固定されたベース片に対し、コーナー部材本体結合用のねじ装着部に対するねじの着脱により、コーナー部材本体を着脱可能に構成されていることを特徴とする放熱パネルに存する。
【発明の効果】
【０００８】
本発明の放熱パネルによれば、コーナー部材を利用して内装面に直接固定するため、せりだし高さを増やすことなく、パネルと略同等の厚さの範囲で内装面に敷設できる。また、コーナー部材のベース片を内装面に残したまま、ベース片に対するねじ操作だけでコーナー部材本体を着脱し、簡単にパネル全体を着脱できるため、保守がし易く、しかも、躯体側の損傷を低減できる。
【図面の簡単な説明】
【０００９】
【図１】本発明に係る放熱パネルにおけるコーナー部材および縦横の枠部材の構造を示す展開斜視図である。
【図２】本発明に係る放熱パネルの全体形状を示す平面図である。
【図３】図２のIII−III線に沿って破断した断面図であり、パネル本体および枠部材の構造を示す図である。
【発明を実施するための形態】
【００１０】
本発明に係る放熱パネル（以下、「パネル」と略記する。）の一実施形態を図面に基づいて説明する。なお、本発明においては、居室の壁や天井あるいは居室内のパネル設置可能な平面部分を内装面と称する。また、形状説明において、平面形状とは、部材を床上に置いて上面視した場合の形状を言い、例えば、パネルの平面形状とは、パネルを壁に適用した場合の当該パネルの正面形状、あるいは、パネルを天井に適用した場合の当該パネルの下面形状を指す。
【００１１】
本発明のパネルは、居室の内装面に敷設され且つ温水または冷水の循環によって居室の温度調節を行うパネルであり、図２に示す様に、平面形状を四角形に形成され且つ内部に水循環路（通水管１３）が設けられたパネル本体１と、両端が開口する中空構造を備え且つパネル本体１の四辺部に付設された縦横の枠部材２と、これら枠部材２の厚さと略同等の厚さに形成されてパネル本体１の角部に配置され且つ縦横の枠部材２を連結するコーナー部材３とから主に構成されている。
【００１２】
パネル本体１の平面形状は、通常、１辺が２００〜３０００ｍｍ程度の長方形または正方形に形成されている。図３に示す様に、パネル本体１は、発泡樹脂成形体から成る断熱材としての板状基材１１と、当該板状基材の表側の溝１２に配置された水循環路としての通水管１３と、板状基材１１の表側表面に貼着された放熱シート１４と、当該放熱シートの表側に配置された意匠パネル１５とから主として構成されている。そして、暖房用として使用する場合には、給湯装置（図示省略）から供給した温水を通水管１３に循環させることにより、温水の熱を放熱シート１４によって拡散し且つ意匠パネル１５に伝達する様になされている。また、冷房用として使用する場合には、冷水製造装置（図示省略）から供給した冷水を通水管１３に循環させることにより、冷水の冷熱を放熱シート１４によって拡散し且つ室内に放出する様になされている。すなわち、室内側の温熱を放熱シート１４によって吸収する様になされている。
【００１３】
板状基材１１は、平面形状を例えば細長の長方形に形成された厚さ７〜２０ｍｍ程度の薄板状の発泡樹脂成形体の小片を多数配列して構成されている。発泡樹脂成形体としては、硬質ポリウレタン発泡体、硬質ポリエチレン発泡体、硬質ポリプロピレン発泡体、ポリスチレン発泡体、ポリスチレンとポリエチレン混合物の発泡体などが使用されている。なお、図示しないが、板状基材１１には、外部からの加圧力（意匠パネル１５への衝撃）に対する強度を高めるため、木材または硬質発泡樹脂から成る幅４０〜５０ｍｍ程度の小割り状の根太状部材が所定の間隔で平行に挿入されていてもよい。
【００１４】
通水管１３は、放熱シート１４に接触する状態で溝１２に配置されている。通水管１３としては、外径４〜１０ｍｍ、内径４〜７ｍｍの架橋ポリエチレン管、ポリブテン管、ポリプロピレン管、ポリエチレン管などの樹脂管が使用されている。また、パネル上面側への出力を高め且つ放熱効率を高めるため、通水管１３の少なくとも一部分、例えば直線部は、その長さ方向に直交する断面がＵ字状に形成された樋状の金属製伝熱部材（図示省略）に収容されて上記の溝１２に配置されていてもよい。
【００１５】
図２においては、構造説明を簡単にするために、水循環路が１系統のパネルを例示しているが、通常、水循環路は、板状基材１１の両端部で通水管１３を多数回折り返すパターンで４〜１２系統設けられている。その場合、板状基材１１の例えば１つ端部近傍には、切込み構造のヘッダー取付部が設けられ、各通水管１３は、当該ヘッダー取付部び配置された水分配回収用のヘッダー（図示省略）に繋ぎ込まれている。そして、各通水管１３は、１０〜５０ｍｍ程度の配列ピッチで配列されている。上記の様に、ヘッダーを使用して水循環路を複数系統設けることにより、更に、通水管１３を所定ピッチで配列することにより、各系統における温水または冷水の温度変化を少なくしてパネル全体で均一に放熱し且つ出力を高めることが出来る。
【００１６】
図３では誇張して示されているが、放熱シート１４は、厚さが通常は１０〜２００μｍ、好ましくは３０〜１００μｍの熱伝導性に優れた可撓性のフィルム又はシート、例えば、アルミニウム箔、錫箔、銅箔、ステンレス鋼箔などの金属箔や金属製の織布や不織布で構成されている。放熱シート１４は、板状基材１１の表面に粘着剤や接着剤フィルム等によって貼着されている。
【００１７】
図３に示す様に、意匠パネル１５は、板状基材１１や放熱シート１４を保護し且つ意匠性を高めるため、放熱シート１４の表側に配置されている。後述する枠部材２の押え縁２２と支え縁２３の隙間にパネル本体１を挟持し、かつ、板状基材１１や放熱シート１４の損傷を防止するため、意匠パネル１５は、前述の放熱シート１４及び板状基材１１よりも広面積に形成されている。すなわち、意匠パネル１５は、板状基材１１から外側に幾分はみ出す大きさに形成されている。
【００１８】
意匠パネル１５は、金属や樹脂の薄板で構成されていてもよいが、例えば、厚さ０．８〜１．５ｍｍ程度の複合板で構成されている。斯かる複合板としては、金属シート／樹脂シート／金属シートの層構成を備えた複合板が挙げられる。上記の金属シートには、アルミニウム、ステンレス、鉄、銅、チタン、錫、ニッケル等の金属または各種の合金から成る厚さ０．１〜０．２ｍｍ程度のシートが使用され、芯材の樹脂シートには、ポリエチレン、ポリプロピレン等のポリオレフィン、ポリ塩化ビニル、ポリアミド、ポリカーボネート、ポリスチレン、ポリヒドロキシルエーテル、酢酸ビニル等の熱可塑性樹脂から成る厚さ０．７〜１．０ｍｍ程度のシートが使用される。
【００１９】
上記の意匠パネル１５を構成する複合板としては、例えば、ポリエチレン製芯材シートの両面にアルミニウムシートを積層して成る三菱樹脂社製の「アルポリック」（商品名）が好適である。また、意匠パネル１５の表面は、塗装、フィルムコーティング、研磨仕上などによって意匠面として構成され、斯かる意匠面には、印刷やフィルム貼着により、写真画像や絵柄が描かれていてもよい。更に、上記の意匠面は、幾何学的な凹凸模様、植物や自然を模った凹凸模様などの立体的意匠面に構成されていてもよい。
【００２０】
図２に示す様に、パネル本体１の外周部は、縦横の枠部材２で囲まれており、縦横の枠部材２は、パネル本体１の角部に配置されたコーナー部材３で連結されている。図２中、符号（２ａ）が縦の枠部材を示し、符号（２ｂ）が横の枠部材を示しており、これら縦横の枠部材２は、通常、アルミニウムの押出し型材で構成されている。枠部材２の幅は２０〜３０ｍｍ程度、パネル本体１の厚さに対応する枠部材２の厚さ（壁面からのせりだし高さ）は１０〜２２ｍｍ程度に設計されている。枠部材２の表面は、塗装、フィルムコーティング、研磨仕上などによって意匠面として構成されている。
【００２１】
図３に示す様に、枠部材２は、中空構造の略角パイプ状の剛体部２１と、当該剛体部の表面（図３における上面）及び背面（図３における下面）に沿ってパネル本体１側に各張出された押え縁２２、２４を備えている。剛体部２１は、長手方向に直交する断面が略方形の管状に形成され、その表面（図３における上面）の一部は、意匠上の観点から、外側（パネル本体１と反対側）に向かうに従い漸次低くなる傾斜面に形成されている。符号（２ｐ）は、枠部材２の両端部において開口する剛体部２１の中空部を示している。
【００２２】
また、表面側の押え縁２２の先端縁には、意匠パネル１５の表面と見切りをつけて意匠性を高め且つ安全性を確保するため、屈曲部２２ｃが設けられている。表面側の押え縁２２の張出し長さは、背面側の押え縁２４の張出し長さの６０〜８５％に相当する長さに設定されている。そして、パネル本体１は、その外周部を枠部材２の２つの押え縁２２、２４によって挟持されている。上記の様に、所定長さの押え縁２２、２４を有する枠部材２で意匠パネル１５を挟持した構造により、設置やメンテナンス、あるいは、模様替えの際、枠部材２の着脱だけでパネルの分解、組立ができる。
【００２３】
更に、各枠部材２には、剛体部２１から張出された２つの押え縁２２、２４の間に更にパネル本体１の意匠パネル１５を裏面から支持する支え縁２３が張出されている。支え縁２３の張出し長さは、上記の様な組立て時の施工性を考慮し、表面側の押え縁２２よりも更に短い長さに設計されている。しかも、支え縁２３は、パネル本体１における板状基材１１から放熱シート１４までの厚さ相当する距離だけ背面側の押え縁２４から離間した位置に設けられている。そして、パネル本体１の意匠パネル１５以外の部位、換言すれば、通水管１３や放熱シート１４を含む板状基材１１は、背面側の押え縁２４と支え縁２３との間に収められ、意匠パネル１５は、その周縁を押え縁２２と支え縁２３の隙間に収められている。
【００２４】
本発明においては、押え縁２４と支え縁２３との間に意匠パネル１５を挟持した上記の構造により、意匠パネル１５を交換する場合に、例えば１つの枠部材２を外すことにより、意匠パネル１５だけを支え縁２３上をスライドさせて簡単に着脱することが出来る。しかも、意匠パネル１５に外側から力が加えられた場合、これを支え縁２３で支持できるため、パネル本体１の板状基材１１、通水管１３および放熱シート１４を保護することが出来る。なお、パネルの背面側は、パネル本体１と枠部材２とが粘着テープ等で固定されているのが好ましく、これらをテーピング固定した場合には、後述する様な意匠パネル１５の交換の際、当該意匠パネルだけを一層簡単に交換することが出来る。
【００２５】
また、枠部材２は、押え縁２２及び支え縁２３の張出し長さの設定により、図３に示す様に、押え縁２２と支え縁２３で意匠パネル１５を挟持した状態において、意匠パネル１５の端部の外周側に隙間２０が形成される様に構成されている。隙間２０の大きさ、すなわち、押え縁２２と支え縁２３の間隙の奥探から意匠パネル１５の端部までの距離（図３において隙間２０の左右方向の長さ）は、当該距離方向に沿った意匠パネル１５の長さ１ｍに対して１〜３ｍｍ程度の割合で設定されている。枠部材２の内部に上記の様な隙間２０を設けることにより、例えば暖房時にパネル本体１に８０℃の温水を循環させた場合でも、意匠パネル１５の伸縮に対応することが出来る。
【００２６】
本発明においては、内装面に対するパネルの着脱を容易にし且つ内装面の損傷を低減するため、上記の各枠部材２は、図２に示す様に、パネル本体１の各角部の外周側に配置される特定構造のコーナー部材３により相互に連結されている。図１に示す様に、コーナー部材３は、コーナー部材本体４、ベース片５、被覆材６及び付属のねじ類から構成されている。これらコーナー部材本体４、ベース片５及び後述する被覆材６は、ＡＢＳ（アクリロニトリルブタジエンスチレン共重合体）やＰＰ（ポリプロピレン）等の射出成形可能な樹脂から構成されている。
【００２７】
コーナー部材本体４は、縦横の枠部材２ａ、２ｂの端部接触部の外角部分に配置される部材であり、当該コーナー部材本体の側面には、枠部材２の端部開口、すなわち、枠部材２の中空部２ｐに挿入可能な２つの接続バー４３が互いに直交する方向に突設されている。コーナー部材本体４は、上記の外角部分において枠部材２ａ、２ｂを連結でき且つ意匠性を損なわない限り、各種の形状に設計できるが、パネル本体１の角部との取り合いの観点から、例えば図１及び図２に示す様な形状で構成されている。
【００２８】
具体的には、図１に示す様に、コーナー部材本体４は、平面形状を略Ｌ字状に形成され且つ上記の外角部分に配置される構造部４１と、平面形状を略正方形に形成され且つ構造部４１の内角部に張出された目隠し用の意匠片４２とから構成されている。そして、Ｌ字の各先端に相当する構造部４１の側面（厚さ部分）には、各々、枠部材２の上記の中空部２ｐに嵌合可能な略コ字形または略四角形（図示省略）の断面形状を備えた接続バー４３が突設されている。なお、意匠片４２は、構造部４１と一体的に薄板状に形成され、かつ、枠部材２にコーナー部材３を取り付けた状態において枠部材２の押え縁２２（図３参照）と同一平面を形成する様に構造部４１の表側に沿って張出されている。
【００２９】
コーナー部材本体４の構造部４１は、ベース片５が嵌合する凹部４５を背面側に備えている。凹部４５の平面形状は、後述するベース片５と同様に略Ｌ字状に形成されており、背面視した場合の凹部４５の深さは、通常、３〜７ｍｍ程度に設計されている。一方、構造部４１の表面側の厚さ、すなわち、凹部４５の天井面（背面視して凹部の底面）の厚さは、ベース片５との強度的な均衡を考慮し、通常は２〜５ｍｍ程度に設計されている。そして、構造部４１の表面側（凹部４５の天井面）は、ベース片５のねじ穴５６に使用されるねじ７６の全体が通過する大きさの２つの開口４６、および、ベース片５を嵌合させた状態において当該ベース片のねじ装着部５４に重畳するねじ穴４７を備えている。
【００３０】
ベース片５は、平面形状を略Ｌ字状に形成された扁平な板状の部材であり、内装面固定用のねじ穴５６及びコーナー部材本体４結合用の前述のねじ装着部５４を有し、上記のコーナー部材本体４の背面に嵌合する様に形成されている。ベース片５のねじ穴５６は、当該ベース片を固定するためのねじ７６を挿通する穴であり、ねじ装着部５４は、コーナー部材本体４を結合するためのねじ７７を螺着する穴である。図示しないが、ねじ装着部５４には、十分な螺着強度を得るため、金属製の雌ねじが埋め込まれている。そして、ベース片５は、コーナー部材本体４の構造部４１の背面に配置される。すなわち、構造部４１の凹部４５に嵌合する様に内装面に取り付けられる。
【００３１】
被覆材６は、平面形状を略Ｌ字状に形成された扁平な蓋状の部材であり、コーナー部材本体４やベース片５に装着されたねじ７６、７７を覆い隠すためにコーナー部材本体４の構造部４１の表面に取り付けられる。被覆材６のＬ字の外角部には、背面側へ僅かに突出する突起部が設けられており、斯かる突起部は、コーナー部材本体４の構造部４１の外角部に設けられた切欠きに嵌合する様になされている。すなわち、被覆材６は、構造部４１の表面に上から押し付けて取り付ける様になされている。なお、被覆材６としては、樹脂の成形品に限らず、裏面に粘着材が添付されたシール等のシート状部材を使用することも出来る。
【００３２】
上記の様に、コーナー部材３は、内装面固定用のねじ穴５６を利用して内装面に固定されたベース片５に対し、コーナー部材本体結合用のねじ装着部５４に対するねじ７７の着脱により、コーナー部材本体４を着脱可能に構成されている。これにより、コーナー部材３の一部であるベース片５を内装面に残したまま、内装面に対してパネル全体を着脱することが出来る。本発明のパネルの設置方法、メンテナンス等における取扱い方法は次の通りである。
【００３３】
本発明のパネルを設置する場合、例えば、温水供給・回収用の１組の連絡配管を給湯装置から壁面の所定位置まで引き回した後、パネルの通水管１３基端のヘッダーに連絡配管を接続して壁面にパネルを固定する。その際、先ず、パネル四隅のコーナー部材３の被覆材６外し且つねじ７７によりベース片５をコーナー部材本体４に係合させた状態において、各コーナー部材本体４の構造部４１の開口４６及びベース片５のねじ穴５６を通じてねじ７６を壁面に螺着する。そして、コーナー部材本体４の表側から被覆材６を被せ、ねじ７６、７７を覆い隠す。これにより、壁面にパネルを設置することが出来る。
【００３４】
一方、修理や意匠パネル１５の交換などのためにパネルを壁面から取外す場合には、四隅のコーナー部材３から被覆材６を外した後、ねじ７７だけを取り外す。各コーナー部材３のベース片５はそれぞれ２本のねじ７６で固定されており、コーナー部材本体４の開口４６はねじ７６が通過可能な大きさに形成されているため、上記のねじ７７を外し、パネルを壁面から浮かせる様に引き離すことにより、コーナー部材本体４の凹部４５からベース片５が相対的に外れ、ベース片５を壁に残した状態でパネル全体を取り外すことが出来る。また、壁面にパネルを再び固定するには、壁面に残されたベース片５がコーナー部材本体４の凹部４５に嵌り込む様に、ベース片５を基準にパネル全体を壁面に押し付け、各コーナー部材本体４のねじ穴４７を利用してねじ装着部５４にねじ７７を螺着する。そして、コーナー部材本体４に被覆材６を被せる。
【００３５】
なお、室内の模様替え等のために意匠パネル１５だけを交換する場合には、上記の様にパネル全体を壁から取り外した状態、または、パネル全体を壁から幾分持ち上げた状態でパネル本体１から１組の枠部材２を取り外し、意匠パネル１５をスライドさせて当該意匠パネルだけを取り外し、新たな意匠パネル１５を逆の手順で差し込むことが出来る。なお、壁からパネル全体を持ち上げるには、縦方向または横方向に並ぶ２組のコーナー部材３のねじ７７を外し、他の２組のコーナー部材３のねじ７７を緩めればよい。
【００３６】
上記の様に、本発明のパネルは、コーナー部材３を利用して内装面に直接固定するため、内装面からのせりだし高さを増やすことなく、パネルと略同等の厚さ（枠部材２の厚さ）の範囲で内装面に敷設できる。また、コーナー部材３のベース片５を内装面に残したまま、すなわち、ベース片５を内装面に固定したまま、ベース片５に対するねじ操作だけでコーナー部材本体４を着脱し、簡単にパネルを着脱できるため、保守がし易く、しかも、躯体側の損傷を低減することが出来る。
【符号の説明】
【００３７】
１  ：パネル本体
１１：板状基材（断熱材）
１２：溝
１３：通水管（水循環路）
１４：放熱シート
１５：意匠パネル
２  ：枠部材
２ａ：枠部材（縦）
２ｂ：枠部材（横）
２ｐ：中空部
２０：隙間
２１：剛体部
２２：押え縁（表面側）
２２ｃ：屈曲部
２３：支え縁
２４：押え縁（背面側）
３  ：コーナー部材
４  ：コーナー部材本体
４１：構造部
４２：意匠片
４３：接続バー
４５：凹部
４６：開口
４７：ねじ穴
５  ：ベース片
５４：ねじ装着部（コーナー部材本体結合用）
５６：ねじ穴（内装面固定用）
７６：ねじ
７７：ねじ
６  ：被覆材：
【図１】
2011043299.tif 000003
【図２】
2011043299.tif 000004
【図３】
2011043299.tif 000005